(57)【要約】【課題】会場型オークションに適合した構成のワイヤレス・オークション・システムを提供する。【解決手段】応札端末（１０）は、無線通信を行うための双方向アクティブ型無線ＩＣタグ（１）と、参加者が応札のために操作する操作スイッチ（２）と、音で参加者に報知するブザー（３）と、光で参加者に報知するＬＥＤ（４）と、操作スイッチ（２）が操作されたときにその旨を双方向アクティブ型無線ＩＣタグ（１）から無線送信する制御および双方向アクティブ型無線ＩＣタグ（１）で報知情報を無線受信したときにブザー（３）またはＬＥＤ（４）で報知する制御を行うマイコン（５）とを具備する。【効果】応札端末（１０）が無線通信を行うため、参加者が座席に固定される不便がなくなる。応札端末（１０）にブザー（３）およびＬＥＤ（４）を備えて音または光で参加者に報知するため、操作が受け付けられたことを参加者が手元で確認できる。【選択図】図２
2007072822.tif 000002
【特許請求の範囲】
【請求項１】
複数の参加者がそれぞれ持つ応札端末（１０）と、通信領域（Ａ１，Ａ２）内に在る前記応札端末（１０）と無線通信する送受信機（２１，２２）と、複数の参加者に対して入札価格等を表示するための表示装置（３０）と、前記表示装置（３０）の表示内容を制御すると共に前記送受信機（２１，２２）を介して前記応札端末（１０）と通信しオークションを進める処理装置（４０）とを具備してなるワイヤレス・オークション・システムであって、
前記応札端末（１０）は、無線通信を行うための双方向アクティブ型無線ＩＣタグ（１）と、参加者が応札のために操作する操作スイッチ（２）と、音または光で参加者に報知する報知手段（３，４）と、前記操作スイッチ（２）が操作されたときにその旨を前記双方向アクティブ型無線ＩＣタグ（１）から無線送信する制御および前記双方向アクティブ型無線ＩＣタグ（１）で報知情報を無線受信したときに前記報知手段（３，４）で報知する制御を行う制御手段（５）とを具備し、
前記処理装置（４０）は、ある応札端末（１０）の操作スイッチ（２）が押されたことを前記送受信機（２１，２２）を介して受信したときにその受信したことを知らせるための報知情報を前記送受信機（２１，２２）から無線送信する制御を行う応札受理通知手段（Ｐ３）を具備したことを特徴とするワイヤレス・オークション・システム（１００）。
【請求項２】
請求項１に記載のワイヤレス・オークション・システム（１００）において、前記処理装置（４０）は、ある参加者が応札したときにその応札を受け付けたことを知らせるための報知情報を前記送受信機（２１，２２）から無線送信する制御を行う応札受付通知手段（Ｐ３）を具備したことを特徴とするワイヤレス・オークション・システム（１００）。
【請求項３】
請求項１または請求項２に記載のワイヤレス・オークション・システム（１００）において、前記処理装置（４０）は、ある参加者が落札したときにその落札したことを知らせるための報知情報を前記送受信機（２１，２２）から無線送信する制御を行う落札通知手段（Ｐ１２）を具備したことを特徴とするワイヤレス・オークション・システム（１００）。
【発明の詳細な説明】
【技術分野】
【０００１】
本発明は、ワイヤレス・オークション・システムに関し、さらに詳しくは、会場型オークションに適合した構成のワイヤレス・オークション・システムに関する。
【背景技術】
【０００２】
従来、公衆無線電話装置を利用したワイヤレス・オークション・システムが知られている（例えば、特許文献１、２参照。）。
【特許文献１】特開２０００−３０６０３５号公報
【特許文献２】特開２００２−２８８４６８号公報
【発明の開示】
【発明が解決しようとする課題】
【０００３】
上記従来のワイヤレス・オークション・システムは、いずれの構成もオークション会場でのオークション（会場型オークション）に適合しない問題点があった。
そこで、本発明の目的は、会場型オークションに適合した構成のワイヤレス・オークション・システムを提供することにある。
【課題を解決するための手段】
【０００４】
第１の観点では、本発明は、複数の参加者がそれぞれ持つ応札端末（１０）と、通信領域（Ａ１，Ａ２）内に在る前記応札端末（１０）と無線通信する送受信機（２１，２２）と、複数の参加者に対して入札価格等を表示するための表示装置（３０）と、前記表示装置（３０）の表示内容を制御すると共に前記送受信機（２１，２２）を介して前記応札端末（１０）と通信しオークションを進める処理装置（４０）とを具備してなるワイヤレス・オークション・システムであって、前記応札端末（１０）は、無線通信を行うための双方向アクティブ型無線ＩＣタグ（１）と、参加者が応札のために操作する操作スイッチ（２）と、音または光で参加者に報知する報知手段（３，４）と、前記操作スイッチ（２）が操作されたときにその旨を前記双方向アクティブ型無線ＩＣタグ（１）から無線送信する制御および前記双方向アクティブ型無線ＩＣタグ（１）で報知情報を無線受信したときに前記報知手段（３，４）で報知する制御を行う制御手段（５）とを具備し、前記処理装置（４０）は、ある応札端末（１０）の操作スイッチ（２）が押されたことを前記送受信機（２１，２２）を介して受信したときにその受信したことを知らせるための報知情報を前記送受信機（２１，２２）から無線送信する制御を行う応札受理通知手段（Ｐ３）を具備したことを特徴とするワイヤレス・オークション・システム（１００）を提供する。
上記第１の観点によるワイヤレス・オークション・システムでは、応札端末（１０）が双方向アクティブ型無線ＩＣタグ（１）を備えて無線通信を行うため、参加者が座席に固定される不便がなくなる。また、応札端末（１０）の構成は、公衆無線電話装置よりも簡単かつ安価で済む。さらに、応札端末（１０）に報知手段（３，４）を備えて音または光で参加者に報知するため、操作が受け付けられたことを参加者が手元で確認でき、参加者に信頼感を与えることが出来る。
【０００５】
第２の観点では、本発明は、前記第１の観点によるワイヤレス・オークション・システム（１００）において、前記処理装置（４０）は、ある参加者が応札したときにその応札を受け付けたことを知らせるための報知情報を前記送受信機（２１，２２）から無線送信する制御を行う応札受付通知手段（Ｐ３）を具備したことを特徴とするワイヤレス・オークション・システム（１００）を提供する。
上記第２の観点によるワイヤレス・オークション・システムでは、応札操作が受け付けられたことを参加者が手元で確認でき、参加者に信頼感を与えることが出来る。
【０００６】
第３の観点では、本発明は、前記第１または第２の観点によるワイヤレス・オークション・システム（１００）において、前記処理装置（４０）は、ある参加者が落札したときにその落札したことを知らせるための報知情報を前記送受信機（２１，２２）から無線送信する制御を行う落札通知手段（Ｐ１２）を具備したことを特徴とするワイヤレス・オークション・システム（１００）を提供する。
上記第３の観点によるワイヤレス・オークション・システムでは、自分が落札したことを参加者が手元で確認でき、参加者に信頼感を与えることが出来る。
【発明の効果】
【０００７】
本発明のワイヤレス・オークション・システムによれば、会場型オークションにおいて、参加者が座席に固定される不便がなくなる。また、構成が簡単かつ安価で済む。さらに、操作が受け付けられたことを参加者が手元で確認でき、参加者に信頼感を与えることが出来る。
【発明を実施するための最良の形態】
【０００８】
以下、図に示す実施の形態により本発明をさらに詳細に説明する。なお、これにより本発明が限定されるものではない。
【実施例１】
【０００９】
図１は、実施例１にかかるワイヤレス・オークション・システム１００を示す構成説明図である。
このワイヤレス・オークション・システム１００は、複数の参加者がそれぞれ持つ応札端末１０と、通信領域Ａ１内に在る応札端末１０と無線通信する送受信機２１と、通信領域Ａ２内に在る応札端末１０と無線通信する送受信機２２と、複数の参加者に対して入札価格等を表示するための表示装置３０と、送受信機２１，２２および表示装置３０と通信線で接続されると共に送受信機２１，２２を介して応札端末１０と通信し且つ表示装置３０の表示内容を制御してオークションを進める処理装置４０とを具備している。
【００１０】
図２は、応札端末１０の外観図である。
応札端末１０は、参加者が応札のために操作する操作スイッチ２と、音で参加者に報知するブザー３と、光で参加者に報知するＬＥＤ４とを有する。ケース６は、片手で持てるサイズである。
【００１１】
図３は、応札端末１０の構成図である。
応札端末１０は、無線通信を行うための双方向アクティブ型無線ＩＣタグ１と、操作スイッチ２と、ブザー３と、ＬＥＤ４と、操作スイッチ２が操作されたときにその旨を双方向アクティブ型無線ＩＣタグ１から無線送信する制御および双方向アクティブ型無線ＩＣタグ１で報知情報を無線受信したときにブザー３またはＬＥＤ４で報知する制御を行うマイコン５とを具備している。
【００１２】
図２は、応札端末１０の動作を示すフロー図である。
ステップＲ１では、ＬＥＤ４をレッド点灯（赤色点灯）する。
ステップＲ２では、購買権利獲得情報を無線受信するまで待機し、無線受信したらステップＲ３へ進む。
つまり、ＬＥＤ４がレッド点灯の間は、操作スイッチ２を操作しても無効である。
【００１３】
ステップＲ３では、ＬＥＤ４をグリーン点灯（緑色点灯）する。
ステップＲ４では、操作スイッチ２が操作（応札操作）されるまではステップＲ５へ進み、操作スイッチ２が操作されたらステップＲ６へ進む。
ステップＲ５では、購買権利喪失情報を無線受信するまではステップＲ４に戻り、無線受信したらステップＲ１に戻る。
つまり、ＬＥＤ４がグリーン点灯の間は、操作スイッチ２の操作が応札操作として有効である。しかし、所定時間を経過しても応札操作をしなければ、購買権利喪失情報を無線受信してしまい、参加資格を喪失してしまう。
【００１４】
ステップＲ６では、ＬＥＤ４をグリーン点滅（緑色点滅）する。
ステップＲ７では、応札情報を無線送信する。
【００１５】
ステップＲ８では、購買権利獲得情報を無線受信するまではステップＲ９へ進み、無線受信したらステップＲ３に戻る。
ステップＲ９では、落札情報を無線受信するまではステップＲ１０へ進み、無線受信したらステップＲ１１へ進む。
ステップＲ１０では、購買権利喪失情報を無線受信するまではステップＲ８に戻り、無線受信したらステップＲ１に戻る。
ステップＲ１１では、ブザー３を短時間だけ鳴らす。
ステップＲ１２では、ＬＥＤ４をオレンジ点灯（橙色点灯）する。
つまり、ＬＥＤ４がグリーン点滅の間は、応答端末１０での応札操作が処理センター４０で受け付けられるのを待っている状態である。この間に操作スイッチ２を操作しても無効である。応札操作が処理センター４０で受け付けられ且つ他にも応札者がいると、ＬＥＤ４がグリーン点灯になり、再応札になる。一方、応札操作が処理センター４０で受け付けられ且つ他に応札者がいなければ、落札となり、ブザー３が鳴り、ＬＥＤ４がオレンジ点灯になる。なお、ＬＥＤ４がグリーン点滅のままであれば、参加者は、近傍にいる係員に苦情を申し立てることが出来る。この苦情があれば、処理センター４０は、購買権利喪失情報を無線送信して当該応答端末１０を無効にする。そして、その応答端末１０を別の応答端末１０と交換し、オークションをやり直す。
【００１６】
ステップＲ１３では、操作スイッチ２が操作（確認操作）されるまではステップＲ１４へ進み、操作スイッチ２が操作されたらステップＲ１５へ進む。
ステップＲ１４では、購買権利喪失情報を無線受信するまではステップＲ１３に戻り、無線受信したらステップＲ１に戻る。
つまり、ＬＥＤ４がオレンジ点灯の間は、操作スイッチ２の操作が確認操作として有効である。しかし、所定時間を経過しても確認操作をしなければ、購買権利喪失情報を無線受信してしまい、落札資格を喪失してしまう。
【００１７】
ステップＲ１５では、ＬＥＤ４をオレンジ点滅（橙色点滅）する。
ステップＲ１６では、落札確認情報を無線送信する。
【００１８】
ステップＲ１７では、落札確定情報を無線受信するまではステップＲ１８へ進み、無線受信したらステップＲ１９へ進む。
ステップＲ１８では、購買権利喪失情報を無線受信するまではステップＲ１７に戻り、無線受信したらステップＲ１に戻る。
ステップＲ１９では、ブザー３を短時間だけ鳴らす。
ステップＲ２０では、ＬＥＤ４をホワイト点灯（白色点灯）する。
ステップＲ２１では、所定時間経過後にステップＲ１に戻る。
つまり、ＬＥＤ４がオレンジ点滅の間は、応答端末１０での確認操作が処理センター４０で受け付けられるのを待っている状態である。この間に操作スイッチ２を操作しても無効である。確認操作が処理センター４０で受け付けられると、ＬＥＤ４がホワイト点灯になり、落札が確定する。なお、ＬＥＤ４がオレンジ点滅のままであれば、参加者は、近傍にいる係員に苦情を申し立てることが出来る。この苦情があれば、処理センター４０は、購買権利喪失情報を無線送信して当該応答端末１０を無効にする。そして、その応答端末１０を別の応答端末１０と交換し、オークションをやり直す。
【００１９】
図５は、処理センター４０の動作を示すフロー図である。
ステップＰ１では、全ての応札端末１０のＩＤを登録する。
【００２０】
ステップＰ２では、表示装置３０に商品情報と提示価格を表示する。
ステップＰ３では、登録されたＩＤの応札端末１０へ購買権利獲得情報を送信する。
【００２１】
ステップＰ４では、いずれかの応札端末１０から応札情報を受信したらステップＰ５へ進み、受信してないならステップＰ６へ進む。
ステップＰ５では、受信した応札情報を送信してきた応札端末１０のＩＤを仮登録する。
ステップＰ６では、所定の応札時間を経過するまではステップＰ４に戻り、経過したらステップＰ７へ進む。
【００２２】
ステップＰ７では、仮登録していないＩＤの応札端末に購買権利喪失情報を送信する。
ステップＰ８では、仮登録したＩＤが１個以上ならステップＰ９へ進み、そうでないなら応札無しなのでオークションのやり直し処理を行う。
ステップＰ９では、仮登録したＩＤが２個以上ならステップＰ１０へ進み、仮登録したＩＤが１個ならステップＰ１２へ進む。
【００２３】
ステップＰ１０では、仮登録したＩＤだけを改めて登録する。
ステップＰ１１では、提示価格を改定し、ステップＰ２に戻る。
【００２４】
ステップＰ１２では、仮登録したＩＤの応答端末１０へ落札情報を送信する。
ステップＰ１３では、仮登録したＩＤの応答端末１０から落札確認情報を受信するまではステップＰ１４へ進み、受信したならステップＰ１５へ進む。
ステップＰ１４では、所定の確認時間が経過するまではステップＰ１３に戻り、経過したならステップＰ１６へ進む。
【００２５】
ステップＰ１５では、仮登録したＩＤの応答端末１０へ落札確定情報を送信する。その後、落札後の処理を行う。
【００２６】
ステップＰ１６では、仮登録したＩＤの応答端末１０へ購買権利喪失情報を送信する。その後、オークションのやり直し処理を行う。
【００２７】
実施例１のワイヤレス・オークション・システム１００によれば、応札端末１０が双方向アクティブ型無線ＩＣタグ１を備えて無線通信を行うため、参加者が座席に固定される不便がなくなる。また、応札端末１０の構成は、公衆無線電話装置よりも簡単かつ安価で済む。さらに、応札端末１０にブザー３およびＬＥＤ４を備えて音または光で参加者に報知するため、操作が受け付けられたことを参加者が手元で確認でき、参加者に信頼感を与えることが出来る。
【産業上の利用可能性】
【００２８】
本発明のワイヤレス・オークション・システムは、会場型オークションに好適である。
【図面の簡単な説明】
【００２９】
【図１】実施例１に係るワイヤレス・オークション・システムを示す構成説明図である。
【図２】実施例１に係る応札端末を示す外観図である。
【図３】実施例１に係る応札端末を示す構成説明図である。
【図４】実施例１に係る応札端末の動作を示すフロー図である。
【図５】実施例１に係る処理センターの動作を示すフロー図である。
【符号の説明】
【００３０】
１                    双方向アクティブ型無線タグ
２                    操作スイッチ
３                    ブザー
４                    ＬＥＤ
５                    マイコン
１０                  応札端末
２０                  送受信機
３０                  表示装置
４０                  処理センター
１００                ワイヤレス・オークション・システム
【図１】
2007072822.tif 000003
【図２】
2007072822.tif 000004
【図３】
2007072822.tif 000005
【図４】
2007072822.tif 000006
【図５】
2007072822.tif 000007